(57)【特許請求の範囲】
【請求項１】
身体にほぼ密着した状態で着用される運動用衣服であり、
前記運動用衣服は、少なくとも腰部から大腿部の上部までを被覆する部分を有し、伸縮性を有する生地で構成されており、
前記運動用衣服は、緊締力の強い緊締部を有し、
前記緊締部が、臀部下辺部に沿って大腿外側部と大腿前面部の近位１／３を含む領域に配置された緊締部Ａと、腰椎からウエストラインに沿って上前腸骨稜を通り臍下腹部に至る領域に配置された緊締部Ｂとを含み、
前記緊締部Ａの身体の長軸方向における幅が３ｃｍ以上であり、
前記緊締部Ｂにおいて、腰部の緊締部が腹部の緊締部より高い位置に形成されており、
股ぐり線上において、前身頃のウエストの上部ラインから内股までの縫製線の長さが、後身頃のウエストの上部ラインから内股までの縫製線の長さより３〜７．５ｃｍ短いことを特徴とする運動用衣服。
【請求項２】
前記緊締部を構成する生地の身体の長軸方向における伸長率が、前記緊締部を除くその他の部位を構成する生地の身体の長軸方向における伸長率より５０％以上低い請求項１に記載の運動用衣服。
【請求項３】
前記緊締部を構成する生地の身体の長軸方向における伸長率が１０〜１２０％である請求項１又は２に記載の運動用衣服。
【請求項４】
股ぐり線から体側に向けて平行６ｃｍ幅まで且つウエストの上部ラインから下２５ｃｍまでの領域内で、前記腹部の緊締部に対する前記腰部の緊締部の面積割合が５０〜７５％である請求項１〜３のいずれか１項に記載の運動用衣服。
【請求項５】
股部には緊締部が配置されていない請求項１〜４のいずれか１項に記載の運動用衣服。
【請求項６】
さらに、膝の両側に緊締部Ｃが配置されている請求項１〜５のいずれか１項に記載の運動用衣服。
【請求項７】
前身頃のパターンにおいて、ウエストからソケイ部中央付近にかけて前切り替え線があり、前切り替え線とウエスト上端部の交点をＤとし、
股ぐリ線と内股切り替え線の交点Hから地の目に直行する線Iと前切り替え線との交点をJとし、
交点Jから下に引いた垂直線と前裾から水平に引かれた直線の交点をＦとし、交点Jと交点Ｆ間の直線上において交点Jからの距離が交点Jと交点Ｆ間の距離の２／５に該当する位置から水平に引かれた線と前記前切り替え線の交点をＥとした場合、
交点Ｄ、J及びＥでなす角度が１６０〜１７５°の範囲である請求項１〜６のいずれか１項に記載の運動用衣服。
【発明の詳細な説明】
【技術分野】
【０００１】
本発明は、腰部から大腿部の上部までを被覆する部分を有する運動用衣服に関する。
【背景技術】
【０００２】
従来から、スポーツウェアについて、適切な素材を用いることで、運動をサポートする機能を持たせる研究が進められてきている。また、近年では、緊締力が強い部分を形成し、運動をサポートする機能を向上させたスポーツウェアが提案されている。例えば、特許文献１には、伸縮部と、伸縮部より緊締力が大きく伸縮性を有する緊締部を有し、上記緊締部が上記伸縮部から連続して一体に形成され身体の所望の部位に当接しサポートする所定の形状に形成されている運動用被服が開示されている。また、特許文献２には、仙骨を固定するとともに股関節に外旋をかけてヒップを寄せるための第１サポート領域と、ヒップを上方に持ち上げるための第２サポート領域と、少なくとも大腿に圧力を加えるための第３サポート領域と、少なくとも内股に圧力を加えるための第４サポート領域とを含む着圧領域が設けられたトレンカが開示されている。
【先行技術文献】
【特許文献】
【０００３】
【特許文献１】特開２００５−４８３３２号公報
【特許文献２】実用新案登録第３１６１６９７号公報
【発明の概要】
【発明が解決しようとする課題】
【０００４】
しかし、特許文献１〜２に記載のスポーツウェアは、緊締部や着圧領域により、股関節や膝関節などの関節を安定に保っているが、ランニング時の快適なフォームのためにさらに改善することが望まれる。
【０００５】
本発明は、上記従来の問題を解決するため、快適なランニングのフォームを導くことができる運動用衣服を提供する。
【課題を解決するための手段】
【０００６】
本発明の運動用衣服は、身体にほぼ密着した状態で着用される運動用衣服であり、上記運動用衣服は、少なくとも腰部から大腿部の上部までを被覆する部分を有し、伸縮性を有する生地で構成されており、上記運動用衣服は、緊締力の強い緊締部を有し、上記緊締部が、臀部下辺部に沿って大腿外側部と大腿前面部の近位１／３を含む領域に配置された緊締部Ａと、腰椎からウエストラインに沿って上前腸骨稜を通り臍下腹部に至る領域に配置された緊締部Ｂとを含み、前記緊締部Ａの身体の長軸方向における幅が３ｃｍ以上であり、上記緊締部Ｂにおいて、腰部の緊締部が腹部の緊締部より高い位置に形成されており、股ぐり線上において、前身頃のウエストの上部ラインから内股までの縫製線の長さが、後身頃のウエストの上部ラインから内股までの縫製線の長さより３〜７．５ｃｍ短いことを特徴とする。
【発明の効果】
【０００７】
本発明の運動用衣服は、臀部下辺部に沿って大腿外側部と大腿前面部の近位１／３を含む領域に配置された緊締部Ａと、腰椎からウエストラインに沿って上前腸骨稜を通り臍下腹部に至る領域に配置された緊締部Ｂとを含み、上記緊締部Ｂにおいて、腰部の緊締部が腹部の緊締部より高い位置に配置されていることにより、骨盤を前傾させることができ、ランニング時に足が前に進みやすくなる。また、ランニング時に、足接地位置が身体の重心より前にあるとブレーキになる可能性があるが、本発明の運動用衣服は、上記のように骨盤を前傾させることで足接地位置と身体の重心位置を近接させ、力をより効果的に地面に伝え、足をスムーズに前に進めることができる。
【図面の簡単な説明】
【０００８】
【図１】図１Ａは本発明の運動用衣服の一実施態様の正面図であり、図１Ｂは同背面図であり、図１Ｃは同外側面図である。
【図２】図２Ａは本発明の運動用衣服の他の一実施態様の正面図であり、図２Ｂは同背面図であり、図２Ｃは同外側面図である。
【図３】図３は本発明の運動用衣服の一実施態様における前身頃のパターンを説明する図である。
【図４】図４は本発明の運動用衣服を着用した場合、腰部の緊締部が腹部の緊締部より高い位置に形成されていることにより骨盤が前傾することを説明する模式図である。
【図５】図５は本発明の運動用衣服を着用すると、骨盤が後傾した際に後傾を抑制することを説明する模式図である。
【図６】図６は本発明の運動用衣服を着用すると、膝がニーアウトした際にニーアウトを抑制することを説明する模式図である。
【図７】図７は本発明の運動用衣服を着用すると、膝がニーインした際にニーインを抑制することを説明する模式図である。
【発明を実施するための形態】
【０００９】
本発明において、「伸縮性を有する」とは、運動用衣服を構成する生地の身体の短軸方向における伸長率及び／又は身体の長軸方向における伸長率が０％を超えることを意味する。なお、本発明において、伸長率とは、ＪＩＳ  Ｌ  １０９６に準じて測定したものをいい、具体的には、荷重をかけていない状態の生地片の長さをＬ１とし、１５Ｎの荷重をかけた状態の生地片の長さをＬ２とした場合、（Ｌ２−Ｌ１）／Ｌ１×１００で算出したものである。
【００１０】
また、本発明において、「ほぼ密着」の状態を作るには、人体の裸のサイズに対して、周囲方向は５０〜１１０％、より好ましくは７０〜９５％、丈は７５〜１００％、より好ましくは８５〜１００％として運動用衣服を形成する。もちろん人体のサイズは個人差があるので、前記の比率は目安である。より具体的には、ＪＡＳＰＯ規格に従ってサイズを決める。
【００１１】
本発明の運動用衣服は、少なくとも腰部から大腿部の上部までを被覆する部分を有すればよく、特に限定されないが、例えば腰部から膝上までを覆うように形成されていてもよく、腰部から膝下までを覆うように形成されていてもよく、腰部から足首までを覆うように形成されていてもよく、腰部から足甲までを覆うように形成されていてもよい。下半身全体にサポート感を与えるという観点から、腰部から足首までを覆うように形成されたランニングタイツ又は腰部から足甲までを覆うように形成されたランニングタイツであることが好ましい。
【００１２】
本発明の運動用衣服は、緊締力の強い緊締部を有する。通常、生地の伸長率が低いほど緊締力が強くなり、緊締力が強いとは、伸長率が低いことを意味する。上記緊締部を構成する生地の身体の長軸方向における伸長率（以下、単に長軸伸長率と記す。）が、緊締部を除くその他の部位（以下において、単に他の部位とも記す。）を構成する生地の長軸伸長率より、３０％以上低いことが好ましく、５０％以上低いことがより好ましく、７５〜１００％低いことがさらに好ましい。上記緊締部を構成する生地の長軸伸長率と他の部位を構成する生地の長軸伸長率の差が３０％以上であることにより、緊締部によるサポート感（緊締差感）を感じることができ、５０％以上であると、緊締部によるサポート感に優れる。
【００１３】
また、上記緊締部を構成する生地の長軸伸長率は、１０〜１２０％であることが好ましく、２０〜１００％であることがより好ましい。緊締部によるサポート感に優れるうえ、圧迫感がなく着用感にも優れるからである。
【００１４】
以下、図面に基づいて、本発明の運動用衣服を説明する。図１Ａは本発明の運動用衣服の一実施態様の正面図であり、図１Ｂは同背面図であり、図１Ｃは同外側面図である。また、図２Ａは本発明の運動用衣服の他の一実施態様の正面図であり、図２Ｂは同背面図であり、図２Ｃは同外側面図である。
【００１５】
図１及び図２に示しているように、運動用衣服１０は、臀部下辺部に沿って大腿外側部と大腿前面部の近位１／３を含む領域に配置された緊締部Ａと、腰椎からウエストラインに沿って上前腸骨稜を通り臍下腹部に至る領域に配置された緊締部Ｂとを有する。本発明において、「大腿前面部の近位１／３」とは、身体前面から見た大腿部の体長方向における大腿部の付け根から始まって膝関節までの距離のおよそ３分の１までの範囲をいう。なお、運動用衣服１０において、緊締部Ａと緊締部Ｂは繋がっていてもよい。
【００１６】
運動用衣服１０において、緊締部Ａの身体の長軸方向における幅は３ｃｍ以上であることが好ましく、５．５〜１２ｃｍであることがより好ましい。サポート感に優れるうえ、圧迫感がなく着用感にも優れるからである。なお、本発明において、緊締部Ａの身体の長軸方向における幅とは、大腿外側部において測定するものであり、図１〜２に示しているように、臀部下辺部から下方に向けて形成された緊締部Ａの身体の長軸方向における縫製ライン上の幅Ｙをいう。
【００１７】
また、図１及び図２に示しているように、緊締部Ｂにおいて、腰部の緊締部Ｂ２が、腹部の緊締部Ｂ１より高い位置に形成されている。これにより、ランニング時に、骨盤を前傾させることができ、それゆえ足接地位置と身体の重心位置を近接させることもできる。また、運動用衣服１０は、股ぐり線上において、前身頃のウエストの上部ラインから内股までの縫製線ＸＩの長さが、後身頃のウエストの上部ラインから内股までの縫製線ＸＩＩの長さより、３〜８ｃｍ短いことが好ましく、３〜７．５ｃｍ短いことがより好ましい。腰部及び腹部に対するサポート感に優れるうえ、圧迫感がなく着用感にも優れるからである。
【００１８】
運動用衣服１０において、股ぐり線から体の外側に向けて平行６ｃｍ幅まで且つウエストの上部ラインから下２５ｃｍまでの領域内で、腹部の緊締部Ｂ１に対する腰部の緊締部Ｂ２の面積割合Ｂ２／Ｂ１（以下において、単に腹部の緊締部に対する腰部の緊締部の面積割合と記す。）が、５０〜７５％であることが好ましく、５５〜７０％であることがより好ましい。腰部及び腹部に対するサポート感に優れるうえ、圧迫感がなく着用感にも優れるからである。
【００１９】
図４は、本発明の運動用衣服を着用した場合、腰部の緊締部が腹部の緊締部より高い位置に形成されていることにより骨盤が前傾することを説明する模式図である。図４において、Ｍは緊締部により骨盤にかかる力の方向を示し、Ｎは緊締部により骨盤にかかるトルクを示している。図４に示しているように、本発明の運動用衣服を着用すると、緊締部により矢印Ｍで示す方向の力が骨盤にかかることにより、骨盤に矢印Ｎで示すトルクがかかり、骨盤が前傾することになる。
【００２０】
図５は、本発明の運動用衣服を着用すると、骨盤が後傾した際に後傾を抑制することを説明する模式図である。図５において、矢印Ｏは骨盤が後傾した際に緊締部によって骨盤にかかる前側の力の大きさを示し、矢印Ｐは骨盤が後傾した際に緊締部によって骨盤にかかる後側の力の大きさを示している。図５に示しているように、骨盤が後傾した際、矢印Ｏで示す骨盤にかかる前側の力の大きさは、矢印Ｐで示す緊締部によって骨盤にかかる後側の力の大きさより大きく、骨盤が後傾することを抑制できる。
【００２１】
また、運動用衣服１０において、着用感の観点から、股部には緊締部が配置されていないことが好ましい。
【００２２】
また、運動用衣服１０において、図２に示しているように、膝の両側に緊締部Ｃが配置されていることが好ましい。これにより、ランニング時に膝を真直ぐに前方向に屈折させることができ、余分なニ−イン（Ｋｎｅｅ−ｉｎ）又はニ−アウト（Ｋｎｅｅ−ｏｕｔ）によって生じ得る膝への負担を軽減できる。
【００２３】
図６は、本発明の運動用衣服を着用すると、膝がニーアウトした際にニーアウトを抑制することを説明する模式図である。図６において、矢印Ｑはニーアウトした際に緊締部によって膝の外側にかかる力の大きさを示し、矢印Ｒはニーアウトした際に緊締部によって膝の内側にかかる力の大きさを示し、矢印Ｓはニーアウトした際に緊締部によって膝にかかる力の方向を示している。図６に示しているように、ニーアウトした際には、矢印Ｑで示すニーアウトした際に緊締部によって膝の外側にかかる力の大きさが、矢印Ｒで示すニーアウトした際に緊締部によって膝の内側にかかる力の大きさより大きく、結果的に膝には矢印Ｓで示す力がかかることになり、膝のニーアウトを抑制する。
【００２４】
図７は本発明の運動用衣服を着用すると、膝がニーインした際にニーインを抑制することを説明する模式図である。図７において、矢印Ｔはニーインした際に緊締部によって膝の内側にかかる力の大きさを示し、矢印Ｕはニーインした際に緊締部によって膝の外側にかかる力の大きさを示し、矢印Ｖはニーインした際に緊締部によって膝にかかる力の方向を示している。図７に示しているように、ニーインした際には、矢印Ｔで示すニーインした際に緊締部によって膝の内側にかかる力の大きさが、矢印Ｕで示すニーインした際に緊締部によって膝の外側にかかる力の大きさより大きく、結果的に膝には矢印Ｖで示す力がかかることになり、膝のニーインを抑制する。
【００２５】
また、運動用衣服１０は、図３に示しているように、前身頃のパターンにおいて、ウエストからソケイ部中央付近にかけて前切り替え線１１があり、前切り替え線１１とウエスト上端部の交点をＤとし、股ぐリ線と内股切り替え線の交点Ｈから地の目に直行する線Ｉと前切り替え線１１との交点をＪとし、交点Ｊから下に引いた垂直線１２と前裾から水平に引かれた直線１３の交点をＦとし、交点Ｊと交点Ｆ間の直線１２上において交点Ｊからの距離が交点Ｊと交点Ｆ間の距離の２／５に該当する位置から水平に引かれた直線１４と前切り替え線１１の交点をＥとした場合、交点Ｄ、Ｊ及びＥでなす角度Ｇが１６０〜１７５°の範囲であることが好ましく、１６５〜１７０°であることがより好ましい。腰に対するサポート感に優れるうえ、圧迫感がなく着用感に優れるからである。
【００２６】
本発明において、生地としては、伸縮性を有するものであればよく、特に限定されず、例えば織物、編物などの通常の衣服用生地を用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。上記生地は、目付けが１２０〜２８０ｇ／ｍ2の範囲が好ましく、より好ましくは１４０〜２５０ｇ／ｍ2の範囲、さらに好ましくは１６０〜２３０ｇ／ｍ2の範囲である。上記の範囲であれば、運動機能を損なわず、耐久性も良く、軽くて動きやすい利点がある。また、上記生地は、エラストマー樹脂又はゴムにより含浸或いはプレス処理されたものでもよい。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等が挙げられる。ゴムとしては、シリコーンゴム、フッ素ゴム、ウレタンゴム、合成ゴム、天然ゴム等が挙げられる。また、上記生地は一枚であってもよく、異なる伸長率の二枚の生地を重ねたものであってもよい。
【００２７】
上記生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００２８】
運動用衣服１０は、伸長率が異なる生地をそれぞれ用いて緊締部と他の部位を構成してもよく、所定の伸長率の一種類の生地で衣服を作製した後、上記所定の伸長率と伸長率が異なる生地を裏打ちして緊締部を形成してもよい。また、“セーレンビスコマジック”（セーレン株式会社製）などのナイロン繊維糸とポリエステル繊維糸を引き揃えた特殊な生地を用いて、ポリエステル繊維のみを所定の位置で特殊溶剤にて溶かすことにより緊締部を形成してもよい。また、島精機製作所の“ホールガーメント”専用機を用いて、緊締部と他の部位を異なる繊維組成で編むことにより作製してもよい。中でも、着用感がより良好になるという観点から、運動用衣服１０は、“セーレンビスコマジック”（セーレン株式会社製）などの特殊な生地や島精機製作所の“ホールガーメント”専用機を用いて形成することが好ましい。
【実施例】
【００２９】
以下実施例を用いてさらに具体的に説明する。なお、本発明は下記の実施例に限定されるものではない。
【００３０】
（実施例１）
緊締部には長軸伸長率が２５％、身体の短軸方向における伸長率（以下、単に短軸伸長率と記す。）が６０％、目付けが２７０ｇ／ｍ2であるトリコット経編地（ポリエステル繊維３８質量％、ナイロン繊維３０質量％、ポリウレタン繊維３２質量％）を用い、他の部位には長軸伸長率が１３０％、短軸伸長率が９０％、目付けが１８０ｇ／ｍ2であるトリコット経編地（ポリエステル繊維５４質量％、ポリウレタン繊維４６質量％）を用い、図２に示したようなランニングタイツを作製した。
【００３１】
（比較例１）
長軸伸長率が２２０％、短軸伸長率が１００％、目付けが１８０ｇ／ｍ2であるトリコット経編地（ポリエステル繊維８５質量％、ポリウレタン繊維１５質量％）を用いて、緊締部を有しない図２に示したようなランニングタイツを作製した。
【００３２】
実施例１及び比較例１のランニングタイツを、それぞれ１０名の被験者に着用させ、ランニング時の各関節角度、進行方向成分における身体の重心と踵間の距離を下記のように測定し、その結果を下記表１に示した。
【００３３】
（関節角度）
速度１０ｋｍ／ｈでランニング中の骨盤角度及び膝角度を、右足を基準として測定した。具体的には、骨盤角度は、ソールが全面接地した状態における矢状面での仙骨と上前腸骨稜を結ぶ角度と定義しており、角度が大きい程骨盤が前傾していることになる。膝角度は、ソールが全面接地した状態における前額面での大転子と膝と足首を結ぶ角度と定義しており、膝を角度中心とした。なお、静止立位の角度を基準にした場合、プラスがニ−アウト、マイナスがニ−インとなる。
【００３４】
（身体の重心と踵間の距離）
速度１０ｋｍ／ｈでランニング中の右足踵接地直後における重心と踵との進行方向成分の距離を測定した。
【００３５】
【表１】
0005492179.tif 000002
【００３６】
上記表１の結果から分かるように、全ての被験者において、実施例のランニングタイツを着用したほうが、ランニング時の骨盤角度が大きく、骨盤が前傾している。また、骨盤が前傾することにより、身体の重心と踵間の距離が小さくなっており、すなわち足接地位置が身体の重心により近接しており、地面への力が伝わりやすく、スムーズな走りができる。また、地面への力が伝わりやすいことで、促進力が増し速く走ることもできると思われる。また、全ての被験者において、実施例のランニングタイツを着用したほうが、ランニング時の膝角度が０に近く、静止立位時の角度との差が少なく、余分なニーイン及び／又はニーアウトを防ぐことができ、膝の故障を抑制し得る。
【００３７】
（実施例２〜５）
下記表２に示した長軸伸長率を有する生地を、それぞれ緊締部及び他の部位に用い、実施例１と同様にして、実施例２〜５のランニングタイツを作製した。なお、実施例２〜５において、緊締部に用いた生地の短軸伸長率はいずれも６０％であり、他の部位に用いた生地の短軸伸長率はいずれも９０％であった。
【００３８】
実施例１〜５のランニングタイツを、それぞれ１０名の被験者に着用させ、ランニング時に緊締部による緊締差を感じるかを、以下のような５段階の基準で官能評価し、その結果を下記表２に示した。なお、表２には、各実施例における１０名の被験者の平均を示した。
【００３９】
＜緊締差感の官能評価＞
１  悪い
２  やや悪い
３  普通
４  良い
５  非常に良い
【００４０】
【表２】
0005492179.tif 000003
【００４１】
表２から分かるように、緊締部に用いた生地と他の部位に用いた生地の長軸伸長率の差が３０％以上であると緊締差を感じることができ、５０％以上であると緊締差感が良好になる。
【００４２】
（実施例６〜１１）
下記表３に示した長軸伸長率を有する生地を緊締部に用い、長軸伸長率が１３０％の生地を他の部位を用い、実施例１と同様にして、実施例６〜１１のランニングタイツを作製した。なお、実施例６〜１１において、緊締部に用いた生地の短軸伸長率はいずれも６０％であり、他の部位に用いた生地の短軸伸長率はいずれも９０％であった。
【００４３】
実施例１及び実施例６〜１１のランニングタイツを、それぞれ１０名の被験者に着用させ、緊締部によるサポート感及び着脱と動き安さなどの着用感を、以下のような５段階の基準で官能評価し、その結果を下記表３に示した。なお、表３には、各実施例における１０名の被験者の平均を示した。
【００４４】
＜サポート感の官能評価＞
１  悪い
２  やや悪い
３  普通
４  良い
５  非常に良い
【００４５】
＜着用感の官能評価＞
１  悪い
２  やや悪い
３  普通
４  良い
５  非常に良い
【００４６】
【表３】
0005492179.tif 000004
【００４７】
表３から分かるように、緊締部に用いる生地の長軸伸長率が１０〜１２０％であるとサポート感と着用感のいずれも良好であり、２０〜１００％であるとサポート感及び着用感が非常に良好になる。
【００４８】
（実施例１２〜１８）
股ぐり線上において、前身頃のウエストの上部ラインから内股までの縫製線ＸＩの長さと、後身頃のウエストの上部ラインから内股までの縫製線ＸＩＩの長さの差（以下において、「骨盤部における前後差」とも記す。）を、下記表４に示した値にした以外は、実施例１と同様にして、実施例１２〜１８のランニングタイツを作製した。なお、実施例１において、骨盤部における前後差は４．３ｃｍであった。
【００４９】
実施例１、１２〜１８のランニングタイツを、それぞれ１０名の被験者に着用させ、腰部及び腹部の着用感及びサポート感を、上記のように官能評価し、その結果を下記表４に示した。なお、表４には、各実施例における１０名の被験者の平均を示した。
【００５０】
【表４】
0005492179.tif 000005
【００５１】
上記表４から分かるように、骨盤部における前後差が３〜８ｃｍであると、腰部及び腹部のサポート感に優れ、３〜７．５ｃｍであると腰部及び腹部のサポート感に優れるうえ着用感も良好である。
【００５２】
（実施例１９〜３０）
緊締部Ａの身体の長軸方向における幅を、下記表５に示した値にした以外は、実施例１と同様にして、実施例１９〜３０のランニングタイツを作製した。なお、実施例１において、緊締部Ａの身体の長軸方向における幅は５．９ｃｍであった。
【００５３】
実施例１、１９〜３０のランニングタイツを、それぞれ１０名の被験者に着用させ、臀部下辺部及び大腿部の着用感及びサポート感を、上記のように官能評価し、その結果を下記表５に示した。なお、表５には、各実施例における１０名の被験者の平均を示した。
【００５４】
【表５】
0005492179.tif 000006
【００５５】
上記表５から分かるように、緊締部Ａの身体の長軸方向における幅が３ｃｍ以上であると、臀部下辺部及び大腿部のサポート感に優れるうえ着用感も良好であり、５．５〜１２ｃｍであると臀部下辺部及び大腿部の着用感とサポート感がより良好になる。
【００５６】
（実施例３１〜３５）
腹部の緊締部Ｂ１に対する腰部の緊締部Ｂ２の面積割合Ｂ２／Ｂ１を、下記表６に示した値にした以外は、実施例１と同様にして、実施例３１〜３５のランニングタイツを作製した。なお、実施例１において、腹部の緊締部に対する腰部の緊締部の面積割合は５５．６％であった。
【００５７】
実施例１、３１〜３５のランニングタイツを、それぞれ１０名の被験者に着用させ、腰部及び腹部における着用感及びサポート感を、上記のように官能評価し、その結果を下記表６に示した。なお、表６には、各実施例における１０名の被験者の平均を示した。
【００５８】
【表６】
0005492179.tif 000007
【００５９】
上記表６から分かるように、腹部の緊締部に対する腰部の緊締部の面積割合が５０〜７５％であると、腰部及び腹部のサポート感に優れるうえ着用感も良好であり、５５〜７０％であると腰部及び腹部の着用感とサポート感が非常に優れる。
【００６０】
（実施例３６〜４０）
角度Ｇを、下記表７に示した値にした以外は、実施例１と同様にして、実施例３６〜４０のランニングタイツを作製した。なお、実施例１において、角度Ｇは１６９．７°であった。
【００６１】
実施例１、３６〜４０のランニングタイツを、それぞれ男女１０名の被験者に着用させ、腰部の着用感及びサポート感を、上記のように官能評価し、その結果を下記表７に示した。なお、表７には、各実施例における１０名の被験者の平均を示した。
【００６２】
【表７】
0005492179.tif 000008
【００６３】
上記表７から分かるように、角度Ｇが１６０〜１７５°であると、腰部の着用感及びサポート感のいずれも良好であり、１６５〜１７０°であると腰部の着用感及びサポート感が非常に良好になる。
【符号の説明】
【００６４】
１０  運動用衣服
Ａ、Ｂ、Ｂ１、Ｂ２、Ｃ  緊締部
ＸＩ、ＸＩＩ  縫製線
【図１】
0005492179.tif 000009
【図２】
0005492179.tif 000010
【図３】
0005492179.tif 000011
【図４】
0005492179.tif 000012
【図５】
0005492179.tif 000013
【図６】
0005492179.tif 000014
【図７】
0005492179.tif 000015